(57)【要約】【課題】  サイズ切断や様々形状に切断することができ、使用範囲や利便性が高く、さらには高い輝度性とコーティング特性により、災害発生時に優れた効果を発揮することができる防災用蓄光磁性シートを提供すること。【解決手段】  本発明の防災用蓄光磁性シートは、磁気性を有する異方性マグネットシートと、異方性マグネットシート上に設けられた白色ペイント層と、白色ペイント層上に設けられた蓄光材層と、かかる蓄光材層上に形成されたガラス膜層とで構成されていることを特徴とする。また前記ガラス膜層は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成したことを特徴とする。【選択図】      図１
2006317884.tif 000002
【特許請求の範囲】
【請求項１】
異方性マグネットシートと、該異方性マグネットシート上に設けられた白色ペイント層と、白色ペイント層上に設けられた蓄光材層と、かかる蓄光材層上に形成されたガラス膜層とで構成されていることを特徴とする防災用蓄光磁性シート。
【請求項２】
前記ガラス膜層は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成したことを特徴とする請求項１記載の防災用蓄光磁性シート。
【発明の詳細な説明】
【技術分野】
【０００１】  本発明は、サイズ切断が容易で使用範囲が広く、さらには高い輝度性とコーティング特性により、災害発生時に優れた効果を発揮することができる防災用蓄光磁性シートに関する。
【背景技術】
【０００２】  従来、夜間時においても遠くの位置から十分視認できる初心運転者標識がある（例えば、特許文献１参照）。
上掲特許文献１には、ゴム状磁石基板上に白色の緑、黒色の緑線、該黒色の緑線の内側に黄色の地及び緑の地、からなる着色層を所定の形状に形成してなる初心運転者標識において、前記ゴム状磁石基板上に白の反射層と該反射層上に蓄光夜光体層を形成し、該蓄光夜光体層上に白色の緑、黒色の緑線、該黒色の緑線の内側に透過性カラーインクでの黄色の地及び緑色の地、からなる着色層を形成したことを特徴とする。
【特許文献１】実登録第３０３１３２５号公報（第１−２頁、図１、図４）
【発明の開示】
【発明が解決しようとする課題】
【０００３】  しかしながら上記初心運転者標識においては、表面のコーティング特性が得られず、長期使用の際、表面が傷ついたり劣化したりする虞があった。そのため、外観的美観が損なわれると共に、夜間における蓄光夜光体層の発光輝度が低下するという問題が生じた。また、使用範囲が初心運転者標識に限定されるため、多方面における広い範囲での使用ができないという欠点もあった。【０００４】  そこで本発明は上記点に鑑み、サイズ切断や様々形状に切断することができ、使用範囲や利便性が高く、さらには高い輝度性とコーティング特性により、災害発生時に優れた効果を発揮することができる防災用蓄光磁性シートを提供することにある。
【課題を解決するための手段】
【０００５】  上記課題を解決するために、本発明の防災用蓄光磁性シートは、異方性マグネットシートと、異方性マグネットシート上に設けられた白色ペイント層と、白色ペイント層上に設けられた蓄光材層と、かかる蓄光材層上に形成されたガラス膜層とで構成されていることを特徴とする。また前記ガラス膜層は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成したことを特徴とする。
【発明の効果】
【０００６】  異方性マグネットシート上に白色ペイント層と蓄光材層とを設けたことにより、磁着性を有する金属が存在する場所であれば、如何なる箇所でも防災用蓄光磁性シートを設置することができる。また異方性マグネットシートを基材とすることで、高い磁気特性と強力な吸着力が得られると共に、サイズカットやデザインカットが容易となり、使用範囲が広く利便性が高まる。さらに上述の構成により、防災用蓄光磁性シートを避難場所や誘導箇所に装着することで、災害発生の際に優れた特性を発揮することができる。またさらに、照明を消灯した後でも防災用蓄光磁性シートが暗闇で自然発光するため、夜間における盗難事件や犯罪の発生を未然に防ぐことができる。【０００７】  また蓄光材層の上面にガラス膜層を設けたことで、蓄光材層のコーティング特性が高まり、表面の損傷と外観的美観の劣化を防ぐことができる。
【発明を実施するための最良の手段】
【０００８】  以下、本発明における防災用蓄光磁性シートの実施の形態を図面に基づいて説明する。
本発明の防災用蓄光磁性シート１は、特に、災害発生時に暗闇において自然発光するため、避難場所への誘導効果に優れ、さらには夜間に発生する犯罪の抑制を発揮するものである。また、サイズカットやデザイン作製が容易にでき、利便性や使用勝手を向上させることも可能とする。
【０００９】  図１及び図２に示す防災用蓄光磁性シート１は、異方性マグネットシート２と、該異方性マグネットシート２上に設けられた白色ペイント層３と、白色ペイント層３上に設けられた蓄光材層４と、かかる蓄光材層４上に形成されたガラス膜層５とで構成されていることを特徴とする。
【００１０】  異方性マグネットシート２は、高いエネルギー積を持つ非加硫異方性磁石であり、異方性ストロンチウムフェライトが使用される。また異方性マグネットシート２は、等方性マグネットシートより高い磁気特性を持ち、強力な吸着力を有するマグネットシートである。さらに前記異方性マグネットシート２は、折曲自在でカッター等により容易にカットすることができ、鉄等の磁着性を有する金属に自在に装着できる特性を有する。
【００１１】  前記異方性マグネットシート２上に設けられた白色ペイント層３は、後述詳細の蓄光材層４の発光輝度を高める効果を発揮するもので、白色系を有する塗料であれば、素材や特性は特に限定されるものではない。
【００１２】  前記蓄光材層４は白色ペイント層３の上面に設けられるもので、蓄光材層４を形成する蓄光剤は、光を蓄え自然発光が可能な素材、例えばアルミン酸ストロンチューム系の素材が挙げられる。またその他、周知の金属化合物や希土類を複数混合させ、汎用の展色剤を混合して生成するものを使用してもよい。前記蓄光剤は、日中の太陽光や照明器具からの光を蓄光し、暗闇において防災用蓄光磁性シート１全体から蛍光色を自然発光させることができる。
【００１３】  また本発明の防災用蓄光磁性シート１においては、前記蓄光材層４上にガラス膜層５が形成されている。前記ガラス膜層５は、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成し、５０〜６０度以下の温度でガラス化してなる膜層により形成したことを特徴とする。
【００１４】  またガラス膜層５は、単一あるいは多成分系の金属酸化物ガラス膜からなっている。またこの金属酸化物ガラスからなるガラス膜層５は、酸化チタンや酸化ケイ素と同様に光触媒効果があることが確認されている。そのため、ガラス膜層５の光触媒効果により、防災用蓄光磁性シート１周辺の空気の浄化と殺菌効果を付与することもできる。
【００１５】  なお、前記ガラス膜層５を形成するには、予め、加水分解可能な有機金属化合物を、水と有機溶剤の反応液中で、ホウ素イオンの存在下、ハロゲンイオンを触媒にしｐＨを２ないし３に調整しつつ加水分解、脱水縮合して反応生成物を生成しておく。そして、この反応生成物を部材の表面に所定厚み分塗布し、５０〜６０度以下の温度でガラス化させることによりガラス膜を形成する。なお、この金属酸化物ガラスの形成方法は、特開平６−１９９５２８号公報（特許第２５３８５２７号）に記載された公知の技術である。
【００１６】  次に、前記防災用蓄光磁性シート１の使用方法の一例を図面に基づいて説明する。
図３においては、前記防災用蓄光磁性シート１を蛍光灯の反射板１０の表面に磁着させた状態を示す。この際、防災用蓄光磁性シート１を反射板１０の大きさに合わせカットし、反射板１０の表面に磁着させる。そのことにより、図４に示すように、照明を消灯した後でも蓄光材層５の蓄光剤が蓄えた光を自然発光させることができ、防災用蓄光磁性シート１が暗闇で幻想的な蛍光色を輝かすことができる。また防災用蓄光磁性シート１の発光により、夜間、停電が起きた際でも接触事故等が軽減され、避難場所への移動が容易となる。なお、通常の生活においても、照明器具を消灯させた後に反射板１０が暗闇で自然発光するため、夜間に生じる盗難事件や犯罪の発生を未然に防ぐことができる。
【００１７】  図５においては、前記防災用蓄光磁性シート１を廊下側面の巾木１１に磁着させた状態を示す。この際、防災用蓄光磁性シート１を巾木１１の大きさに合わせカットして着させることにより、照明を消灯した後でも蓄光材層５の蓄光剤が蓄えた光を自然発光させ、防災用蓄光磁性シート１全体から幻想的な蛍光色を発光させることができる。そのため、夜間、災害が発生し停電が起きた際でも、足元の明かりが得られて避難口への移動や誘導が容易となる。なお、日常の生活においても、照明器具を消灯させた後に反射板１０が暗闇で自然発光するため、会社や事務所における夜間の安全性が確保できる。
【００１８】  なお、本発明の防災用蓄光磁性シート１を磁着させる箇所は、上述の反射板や巾木に限定されたものではなく、磁着性を有する金属が存在する場所、例えば交通標識、ガードレール、風呂場、階段近傍、トイレ等、如何なる箇所に装着しても同様の効果を発揮することは言うまでもない。
【図面の簡単な説明】
【００１９】
【図１】本発明の防災用蓄光磁性シートの斜視図である。
【図２】前記防災用蓄光磁性シートの拡大断面図である。
【図３】防災用蓄光磁性シートを照明器具の反射板に装着した使用状態である。
【図４】前記使用状態の断面図である。
【図５】防災用蓄光磁性シートを巾木に装着した状態の断面図である。
【図６】前記使用状態の仕様状態である。
【符号の説明】
【００２０】１    防災用蓄光磁性シート
２    異方性マグネットシート
３    白色ペイント層
４    蓄光材層
５    ガラス膜層
１０  反射板
１１  巾木
【図１】
2006317884.tif 000003
【図２】
2006317884.tif 000004
【図３】
2006317884.tif 000005
【図４】
2006317884.tif 000006
【図５】
2006317884.tif 000007
【図６】
2006317884.tif 000008